(57)【要約】  コンピュータルームの窓において夏場は屋外から伝導する熱を遮断することができ、冬場は屋外に熱を効率良く伝導させることができ、空調の負荷を軽減することができる窓伝導熱遮断装置を提供する。コンピュータルーム１の窓３の室外面から室内面に伝導する熱を遮断する窓伝導熱遮断装置７であって、窓３の大きさに合わせて形成された断熱材８及び該断熱材８の室内面に設けられた固定用ベース９を有する断熱ユニット１７と、固定用ベース９の両側部に設けられたサポートバー１０ａ，１０ｂと、窓枠５の両側部に設けられ、サポートバー１０ａ，１０ｂを介して断熱ユニット１７を窓下の収納部１１から窓３の室内面に又は窓３の室内面から収納部１１に導くガイド溝１２〜１５を有するベースガイド１６とを備えている。
2014091595.tif 000002
【特許請求の範囲】
【請求項１】
コンピュータルームの窓の室外面から室内面に伝導する熱を遮断する窓伝導熱遮断装置であって、前記窓の大きさに合わせて形成された断熱材及び該断熱材の室内面に設けられた固定用ベースを有する断熱ユニットと、前記固定用ベースの両側部に設けられたサポートバーと、前記窓の両側部に設けられ、前記サポートバーを介して前記断熱ユニットを窓下の収納部から前記窓の室内面に又は前記窓の室内面から前記収納部に案内するガイド溝を有するベースガイドとを備えたことを特徴とする窓伝導熱遮断装置。
【請求項２】
前記ベースガイドが、前記サポートバーを前記ガイド溝に沿って前記断熱材を前記窓の室内面から前記収納部に移動させる際に移動速度を調整する調整機構を有していることを特徴とする請求項１記載の窓伝導熱遮断装置。
【請求項３】
前記断熱ユニットが、前記窓の室内面に取り付けられる姿勢を保って前記収納部に収納されることを特徴とする請求項１記載の窓伝導熱遮断装置。
【請求項４】
前記断熱ユニットが前記収納部の高さに合わせて複数に分割されていることを特徴とする請求項１記載の窓伝導熱遮断装置。
【請求項５】
前記調整機構が、前記断熱ユニットを前記収納部から前記窓の室内面に又は前記窓の室内面から前記収納部に移動する移動機構と、該移動機構の移動方向及び移動速度を制御する制御部とを有している請求項２記載の窓伝導熱遮断装置。
【発明の詳細な説明】
【技術分野】
【０００１】
本発明は、窓伝導熱遮断装置に係り、特に夏場はコンピュータルームの窓を通して屋外から伝導する熱を遮断し、冬場は屋内から屋外に熱を効率良く伝導させる技術に関するものである。
【背景技術】
【０００２】
通常、データセンタ等のコンピュータルームにおいては、窓を有している場合、夏場は屋外からの伝導熱による影響を受け易い。そのため、夏場は屋外からの伝導熱による影響を抑制するために、例えば図７に示すように窓３の室内側に遮光カーテン５１を設けたり、窓ガラスに遮光フィルムを張り付けたり（特許文献１参照）、或いは二重窓を設ける等の対策が取られている。
【先行技術文献】
【特許文献】
【０００３】
【特許文献１】特開２０１０−２６５６２２号公報
【発明の概要】
【発明が解決しようとする課題】
【０００４】
しかしながら、遮光カーテンによる対策では、遮光性の効果が得られ、広く利用されているものの、遮光カーテン５１と窓３の隙間から伝導熱５２が室内に流れ込んでしまうという課題がある。【０００５】
一方、遮光フィルムによる対策では、窓ガラスが網入りガラスの場合、網入りガラスが破損する恐れがある等の使用上の制限がある。【０００６】
二重窓による対策では、設置費用が嵩むという課題がある。従って、いずれの場合も、根本的な対策にはなっていない。【０００７】
なお、逆に冬場の場合、屋内の熱を屋外に伝導させることにより空調の負荷を軽減したいという要望があるが、前述した従来の技術ではその要望さえも応えることが困難であった。【０００８】
そこで、本発明は、前述した課題を解決すべくなされたものであり、コンピュータルームの窓において夏場は屋外から伝導する熱を遮断することができ、冬場は屋内の熱を屋外に効率良く伝導させることができ、空調の負荷を軽減することができる窓伝導熱遮断装置を提供することを目的としている。
【課題を解決するための手段】
【０００９】
本発明である請求項１に係る発明は、コンピュータルームの窓の室外面から室内面に伝導する熱を遮断する窓伝導熱遮断装置であって、前記窓の大きさに合わせて形成された断熱材及び該断熱材の室内面に設けられた固定用ベースを有する断熱ユニットと、前記固定用ベースの両側部に設けられたサポートバーと、前記窓の両側部に設けられ、前記サポートバーを介して前記断熱ユニットを窓下の収納部から前記窓の室内面に又は前記窓の室内面から前記収納部に案内するガイド溝を有するベースガイドとを備えたことを特徴としている。【００１０】
請求項２に係る発明は、前記ベースガイドが、前記サポートバーを前記ガイド溝に沿って前記断熱材を前記窓の室内面から前記収納部に移動させる際に移動速度を調整する調整機構を有していることを特徴としている。【００１１】
請求項３に係る発明は、前記断熱ユニットが、前記窓の室内面に取り付けられる姿勢を保って前記収納部に収納されることを特徴としている。【００１２】
請求項４に係る発明は、前記断熱ユニットが前記収納部の高さに合わせて複数に分割されていることを特徴としている。【００１３】
請求項５に係る発明は、前記調整機構が、前記断熱ユニットを前記収納部から前記窓の室内面に又は前記窓の室内面から前記収納部に移動する移動機構と、該移動機構の移動方向及び移動速度を制御する制御部とを有していることを特徴としている。
【発明の効果】
【００１４】
本発明によれば、コンピュータルームの窓において夏場は屋外から伝導する熱を遮断することができ、冬場は屋内の熱を屋外に効率良く伝導させることができ、空調の負荷を軽減することができる窓伝導熱遮断装置を提供することができる。
【図面の簡単な説明】
【００１５】
【図１】本発明に係る窓伝導熱遮断装置の一実施形態である遮蔽状態を示す縦断面図である。
【図２】窓伝導熱遮断装置の上部断熱ユニットと下部断熱ユニットの取付け過程を説明するための説明図である。
【図３】上部断熱ユニットを示す図で、（ａ）は左側面図、（ｂ）は背面図である。
【図４】窓伝導熱遮断装置の断熱遮蔽体を横のガイド溝に沿って後退させた状態を示す断面図である。
【図５】窓伝導熱遮断装置の断熱遮蔽体を縦のガイド溝に沿って収納スペースに下降させて状態を示す断面図である。
【図６】調整機構の構成を概略的に示す図である。
【図７】先行技術である遮光カーテンを設けた場合を示す斜視図である。
【発明を実施するための形態】
【００１６】
以下、本発明の実施の形態について、図１〜図６を参照して詳細に説明する。
【００１７】
図１ないし図２において、１はデータセンタ等のコンピュータルームであり、このコンピュータルーム１を形成する建物の壁２には窓３が設けられている。窓３は、壁２に形成された開口部４と、その開口部４に設けられた窓枠５と、その窓枠５内に装着された窓ガラス６とから主に構成されている。
【００１８】
そして、窓３の窓ガラス６の室外面から室内面に伝導する熱を遮断するために、窓３には窓伝導熱遮断装置７が設けられている。この窓伝導熱遮断装置７は、窓３の大きさに合わせて形成された断熱材８及びその断熱材８の室内面に設けられた固定用ベース９を有する断熱ユニット１７と、固定用ベース９の両側部にそれぞれ設けられた上下一対のサポートバー１０ａ，１０ｂと、窓３の両側部に設けられ、サポートバー１０ａ，１０ｂを介して断熱ユニット１７を窓下すなわち窓３の下方の収納部（格納部又は格納位置ともいう）１１から窓３に又は窓３から収納部１１に案内するガイド溝１２〜１５を有する左右一対のベースガイド１６とを備えている。
【００１９】
断熱ユニット１７は、窓下の収納部１１に収まるように、床２０からの高さに合わせて上下方向に複数に分割（図示例では上下に二分割）されている。すなわち、実施例の場合、断熱ユニット１７は、上部断熱ユニット１７ａと、下部断熱ユニット１７ｂとに分割されている。
【００２０】
上部断熱ユニット１７ａと下部断熱ユニット１７ｂとは、上下対称形状であるため、一方例えば上部断熱ユニット１７ａについて説明する。上部断熱ユニット１７ａは、図３の（ａ）ないし（ｂ）に示すように断熱材８と、固定用ベース９からなっている。断熱材８及び固定用ベース９は、厚さは異なるが、正面から見て四角形のほぼ同じ大きさとされている。上部断熱ユニット１７ａを収納部１１から窓枠５に又は窓枠５から収納部１１に移動するときの操作を容易にするために、固定用ベース９の左右両側部に上下一対のサポートバー１０ａ，１０ｂが水平に突出した状態で設けられている。
【００２１】
断熱材８は、例えば発泡スチロールからなっている。固定用ベース９は、複数本（図示例では３本）の横枠９ａと、複数本（図示例では４本）の縦枠９ｂとを枠組みすることにより形成されている。横枠９ａ及び縦枠６ｂは、剛性を有する枠材からなっている。枠材は、例えば金属製、木製又はプラスチック製が好ましい。断熱材８は、断熱材固定用ベース９の外面部に固着手段例えば接着剤により固着されている。
【００２２】
図１に示すように窓３には、上部断熱ユニット１７ａ及び下部断熱ユニット１７ｂが押し当てられて密閉される。この場合、窓５と上部断熱ユニット１７ａ及び下部断熱ユニット１７ｂとのズレを防止するために、断熱材８が窓枠５内に食い込む（係合する）ように上部断熱ユニット１７ａ及び下部断熱ユニット１７ｂの断熱材８の周縁部には窓枠５内に食い込むように係合するための凹部１８が形成されている。具体的には、上部断熱ユニット１７ａの断熱材８の上部及び左右両側部に凹部１８が形成され、下部断熱ユニット１７ｂの断熱材８の下部及び左右両側部に凹部１８が形成されている。これにより上部断熱ユニット１７ａ及び下部断熱ユニット１７ｂには窓枠５の内側に嵌合する凸状部１９が形成されている。
【００２３】
コンピュータルーム１の室内における窓３の下方（窓下ともいう）の床２０上のスペースが、図５に示すように断熱ユニットの収納部（収納スペース）１１とされている。上部断熱ユニット１７ａと下部断熱ユニット１７ｂとは、窓下の収納部１１において厚さ方向に前後に重ねた状態で収納され、収納部１１の省スペース化が図られている。この場合、下部断熱ユニット１７ｂが窓下の壁２の近くに配置され、下部断熱ユニット１７ｂの後ろに上部断熱ユニット１７ａが近接して重ねた状態に配置される。
【００２４】
また、上部断熱ユニット１７ａ及び下部断熱ユニット１７ｂは、図５に示すようにサポートバー１０ａ，１０ｂを介してガイド溝１２〜１５の下端部に支持され、床２０から浮いた状態に支持（吊持）されており、床２０面に直接載置されていないので、床２０面を容易に清掃することができ、コンピュータルーム１内を清浄な環境に維持することができる。なお、上部断熱ユニット１７ａ及び下部断熱ユニット１７ｂが、床２０から浮いた状態に支持されていることにより、振動等により揺れ動くことを防止するために床２０上に支持台やクッション材を置いてもよい。或いは、上部断熱ユニット１７ａ及び下部断熱ユニット１７ｂが、床２０に載置されるようにしてもよい。
【００２５】
サポートバー１０ａ，１０ｂは、円柱状又はパイプ状の軸からなっており、その突出長さは２〜３ｃｍとされている。サポートバー１０ａ，１０ｂの材質としては、例えば金属、プラスチック等が好ましい。サポートバー１０ａ，１０ｂの移動を円滑にするために、サポートバー１０ａ，１０ｂには車輪又はローラーが取付けられていてもよい。
【００２６】
上下のサポートバー１０ａ，１０ｂは、図３の（ａ）に示すように固定用ベース９の側面の中心線（図示省略）に対して左右対称に配置されている。具体的には、上部のサポートバー１０ａが中心線よりも右側である室内面側に設けられ、下部のサポートバー１０ｂが中心線よりも左側である前面側（室外側）に設けられている。これにより図１、図４、図５に示すように上下のサポートバー１０ａ，１０ｂをそれぞれ独立した軌道であるガイド溝１２〜１５により案内することができるようになっている。
【００２７】
コンピュータルーム１の室内における窓３の両側部に左右一対のベースガイド１６，１６が取付けられ（図２参照）、両ベースガイド１６，１６の対向面には上部断熱ユニット１７ａ及び下部断熱ユニット１７ｂの固定用ベース９の両側面から水平方向に突出する上下一対のサポートバー１０ａ，１０ｂを案内するガイド溝１２〜１５が設けられている（図１参照）。ベースガイド１６は、例えば金属製、木製あるいはプラスチック製である。なお、ベースガイド１６が比較的に柔らかい材質である場合、変形を防止するためにガイド溝１２〜１５は剛性を有する例えば金属製の部材により形成されていることが好ましい。
【００２８】
ガイド溝１２〜１５は、下部断熱ユニット１７ｂ用の上部ガイド溝１２及び下部ガイド溝１３と、上部断熱ユニット用１７ａの上部ガイド溝１４及び下部ガイド溝１５とからなっている。下部断熱ユニット１７ｂ用の上部ガイド溝１２は、上下方向の縦溝１２ａと、縦溝１２ａの上端から窓５側に曲がって連続した室内外方向の横溝１２ｂとからなっている。下部断熱ユニット１７ｂ用の下部案内溝１３は、上下方向の縦溝１３ａと、縦溝１３ａの上端から窓５側に曲がって連続した室内外方向の横溝１３ｂとからなっている。
【００２９】
上部断熱ユニット１７ａ用の上部ガイド溝１４は、上下方向の縦溝１４ａと、縦溝１４ａの上端から窓５側に曲がって連続した室内外方向の横溝１４ｂとからなっている。上部断熱ユニット１７ａ用の下部ガイド溝１５は、上下方向の縦溝１５ａと、縦溝１５ａの上端から窓５側に曲がって連続した室内外方向の横溝１５ｂとからなっている。
【００３０】
サポートバー１０ａ，１０ｂの移動を所定の範囲に制限するために、縦溝１３ａ，１４ａ，１５ａの下端部及び横溝１３ｂ，１４ｂ，１５ｂの先端部は閉じられている。また、上部断熱ユニット１７ａと下部断熱ユニット１７ｂとが移動中に緩衝しないようにするために、上部断熱ユニット１７ａ用のガイド溝１４，１５が下部断熱ユニット１７ｂ用のガイド溝１２，１３の外側に所定の間隔を隔てて配置されており、上部断熱ユニット１７ａ用のガイド溝１４，１５の長さは、下部断熱ユニット１７ｂ用のガイド溝１２，１３の長さのほぼ二倍とされている。
【００３１】
横溝１２ｂ，１３ｂ，１４ｂ，１５ｂは、地震等の振動で上部断熱ユニット１７ａや下部断熱ユニット１７ｂが窓から離れる方向に移動しないようにするために、室内側から室外側に向って下り傾斜に形成されていることが好ましい。
【００３２】
断熱材固定用ベースガイド１６には、図６に示すように、ガイド用サポートバー１０ａをガイド溝１４に沿って移動させて上部断熱ユニット１７ａ及び下部断熱ユニット１７ｂを窓枠５から収納部２１に降下させる際に降下速度を減速するように調整する調整機構２２が設けられていることが、窓伝導熱遮断装置７の耐久性及び安全性の向上を図る上で好ましい。また、その場合、調整機構２２は、上部断熱ユニット１７ａ又は下部断熱ユニット１７ｂを収納部１１から窓枠５に又は窓枠５から収納部１１に移動する移動機構２３と、移動機構２３の制御を行う制御部２４とを有していることが自動化を図る上で好ましい。
【００３３】
移動機構２３は、ガイド溝１４を挟んでガイド溝１４の一側面（図６の左側、すなわち窓側）にガイド溝１４に沿って配置された駆動用ベルトコンベア２５と、ガイド溝１４の他側面（図６の右側）にガイド溝１４に沿って配置された補助ガイドである縦方向用及び横方向用の従動用ベルトコンベア３０，３１とにより構成されている。この駆動用ベルトコンベア２５は、ガイド溝１４の縦溝１４ａの一側面の下部に配置された駆動輪２６と、横溝１４ｂの先端部に配置された従動輪２７と、縦溝１４ａと横溝１４ｂの交わるコーナー部の内側に配置されたコーナー用補助輪２８と、これら駆動輪２６、従動輪２７、コーナー用補助輪２８に掛け渡された無端ベルト２９とを備えている。従動用ベルトコンベア３０，３１は、駆動手段を備えていない。従動ベルトコンベア３０，３１に代えて縦用ガイドと横用ガイドを用いてもよい。
【００３４】
駆動用ベルトコンベア２５の駆動輪２６にはモータ３２が減速機構３３を介して接続されている。駆動用ベルトコンベア２５のモータ３２は、制御部２４によって制御されるように構成されている。制御部２４には、窓伝導熱遮断装置７を開け閉めするためのスイッチ回路が組み込まれている。これにより、制御部２４へのスイッチ操作により上部断熱ユニット１７ａ及び下部断熱ユニット１７ｂを窓枠５に対して自動で装着したり、逆に窓枠５から自動で取外して収納部１１に収納したりすることができるようになっている。
【００３５】
次に、以上の構成からなる窓伝導熱遮断装置の作用を説明する。スイッチ操作により窓伝導熱遮断装置７を稼動させると、図６に示すように制御部２４によりモータ３２が駆動され、減速機構３３及び駆動輪２６を介してベルトコンベア２５が駆動され、このベルトコンベア２５の駆動により図５に示すように窓下の収納部１１に収納されている上部断熱ユニット１７ａ及び下部断熱ユニット１７ｂが先ず図４に示すようにガイド溝１２〜１５の縦溝１２ａ〜１５ａに沿って垂直に上昇し、次いで図１に示すように横溝１２ｂ〜１５ｂに窓３までほぼ水平に平行移動して窓枠５の室内側に装着する。
【００３６】
この場合、上部断熱ユニット１７ａ及び下部断熱ユニット１７ｂを同じ速度で移動させた場合、上部断熱ユニット１７ａよりも下部断熱ユニット１７ｂの方がガイド溝１２〜１５の長さが短いことから、先ず最初に下部断熱ユニット１７ｂが窓３の下半分の位置に装着され、次いで上部断熱ユニット１７ａが窓３の上半分の位置に装着される。
【００３７】
このように窓３に対して先ず下部断熱ユニット１７ｂを装着し、次に上部断熱ユニット１７ａを装着するため、上部断熱ユニット１７ａ及び下部断熱ユニット１７ｂを互いに緩衝させることなく円滑に窓３に装着することが可能となる。そして、このようにコンピュータルーム１の窓３の室内側が上部断熱ユニット１７ａ及び下部断熱ユニット１７ｂからなる窓伝導熱遮断装置７により覆われるため、コンピュータルーム１の窓３において夏場は屋外から伝導する熱を遮断することができる。
【００３８】
この場合、上部断熱ユニット１７ａ及び下部断熱ユニット１７ｂの断熱材８の周縁部には窓枠５に断熱部材８が食い込むようにするための凹部１８が設けられているため、地震等の揺れで断熱材８が窓枠５からズレたり、隙間が発生したりすることがなく、屋外から伝導する熱を遮断することができる。なお、凹部１８にはズレを解消するための傾斜が設けられていることが好ましい。
【００３９】
一方、窓に装着されている窓伝導熱遮断装置７の上部断熱ユニット及び下部断熱ユニットを窓から取外して収納（格納）する場合、スイッチ操作により窓伝導熱遮断装置７を逆方向に稼動させると、図６において制御部２４によりモータ３２が逆方向に駆動され、減速機構３３及び駆動輪２６を介してベルトコンベア２５が逆方向に駆動され、このベルトコンベア２５の駆動により図１に示すように窓３に装着されている上部断熱ユニット１７ａ及び下部断熱ユニット１７ｂが先ず図４に示すようにガイド溝１２〜１５の横溝１２ｂ〜１５ｂに沿ってほぼ水平に室内側に移動させ、次いで図５に示すように縦溝１２ａ〜１５ａに沿って窓下の収納部１１まで垂直に平行移動して収納部１１に収納する。
【００４０】
これにより冬場は屋外に熱を効率良く伝導させることができ、空調の負荷を軽減することができる。ベルトコンベア２５の駆動輪２６には減速機構３３を介してモータ３２が接続されているため、上部断熱ユニット１７ａ及び下部断熱ユニット１７ｂの収納時の降下速度をエンジンブレーキと同様に抑制することができる。また、このように窓３に装着されている上部断熱ユニット１７ａ及び下部断熱ユニット１７ｂを窓下の収納部１１に迅速容易に移動させることができるため、窓３の点検や清掃が容易にできる。
【００４１】
本発明は前記実施の形態に限定されるものではなく、その要旨を逸脱しない範囲で種々変更可能であることは言うまでもない。例えば、ベルトコンベア２５の無端ベルト２９としては、サポートバー１０ａ，１０ｂの滑りを抑制するために凹凸を有していることが好ましい。
【産業上の利用可能性】
【００４２】
データセンタのみならず、企業のコンピュータルームに窓がある場合、窓のメーカや仕様を問わず適用でき、後付けで設置が可能である。また、自動化し窓の伝導熱を制御することで伝導熱を利用した省エネ効果が期待できる。
【符号の説明】
【００４３】
１  コンピュータルーム
３  窓
７  窓伝導熱遮断装置
８  断熱材
９  固定用ベース
１０ａ，１０ｂ  サポートバー
１１  収納部
１２〜１５  ガイド溝
１６  ベースガイド
１７  断熱ユニット
２２  調整機構
２３  移動機構
２４  制御部
【図１】
2014091595.tif 000003
【図２】
2014091595.tif 000004
【図３】
2014091595.tif 000005
【図４】
2014091595.tif 000006
【図５】
2014091595.tif 000007
【図６】
2014091595.tif 000008
【図７】
2014091595.tif 000009
【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
コンピュータルームの窓の室外面から室内面に伝導する熱を遮断する窓伝導熱遮断装置であって、
前記窓の大きさに合わせて形成された断熱材及び該断熱材の室内面に設けられた固定用ベースを有する断熱ユニットと、前記固定用ベースの両側部に設けられたサポートバーと、前記窓の両側部に設けられ、前記サポートバーを介して前記断熱ユニットを窓下の収納部から前記窓の室内面に又は前記窓の室内面から前記収納部に案内するガイド溝を有するベースガイドとを備え、
前記断熱ユニットは、前記収納部から上昇して前記窓の窓枠に装着され、
前記ガイド溝は、
上下方向の縦溝と、
前記縦溝の上端から前記窓側に曲がって連続した横溝と、
を有することを特徴とする窓伝導熱遮断装置。
【請求項２】
前記断熱ユニットは、断熱材を有し、
前記断熱材は、前記窓枠の内側に嵌合する凸状部を有することを特徴とする請求項１記載の窓伝導熱遮断装置。
【請求項３】
前記横溝は、前記室内側から前記室外側に向かって下り傾斜に形成されていることを特徴とする請求項１または２記載の窓伝導熱遮断装置。
【請求項４】
前記ベースガイドが、前記サポートバーを前記ガイド溝に沿って前記断熱材を前記窓の室内面から前記収納部に移動させる際に移動速度を調整する調整機構を有していることを特徴とする請求項１乃至３の何れか１項記載の窓伝導熱遮断装置。
【請求項５】
前記調整機構が、前記断熱ユニットを前記収納部から前記窓の室内面に又は前記窓の室内面から前記収納部に移動する移動機構と、該移動機構の移動方向及び移動速度を制御する制御部とを有している請求項４記載の窓伝導熱遮断装置。 
【手続補正２】
【補正対象書類名】明細書
【補正対象項目名】０００９
【補正方法】変更
【補正の内容】
【０００９】
本発明である請求項１に係る発明は、コンピュータルームの窓の室外面から室内面に伝導する熱を遮断する窓伝導熱遮断装置であって、前記窓の大きさに合わせて形成された断熱材及び該断熱材の室内面に設けられた固定用ベースを有する断熱ユニットと、前記固定用ベースの両側部に設けられたサポートバーと、前記窓の両側部に設けられ、前記サポートバーを介して前記断熱ユニットを窓下の収納部から前記窓の室内面に又は前記窓の室内面から前記収納部に案内するガイド溝を有するベースガイドとを備え、前記断熱ユニットは、前記収納部から上昇して前記窓の窓枠に装着され、前記ガイド溝は、上下方向の縦溝と、前記縦溝の上端から前記窓側に曲がって連続した横溝と、を有することを特徴としている。 
【手続補正３】
【補正対象書類名】明細書
【補正対象項目名】００１０
【補正方法】変更
【補正の内容】
【００１０】
請求項２に係る発明は、前記断熱ユニットは、断熱材を有し、前記断熱材は、前記窓枠の内側に嵌合する凸状部を有することを特徴としている。 
【手続補正４】
【補正対象書類名】明細書
【補正対象項目名】００１１
【補正方法】変更
【補正の内容】
【００１１】
請求項３に係る発明は、前記横溝は、前記室内側から前記室外側に向かって下り傾斜に形成されていることを特徴としている。 
【手続補正５】
【補正対象書類名】明細書
【補正対象項目名】００１２
【補正方法】変更
【補正の内容】
【００１２】
請求項４に係る発明は、前記ベースガイドが、前記サポートバーを前記ガイド溝に沿って前記断熱材を前記窓の室内面から前記収納部に移動させる際に移動速度を調整する調整機構を有していることを特徴としている。
【国際調査報告】
2014091595.tif 000010
2014091595.tif 000011